(57)【要約】【課題】リモートコントロール装置をクリップによって衣服などに装着した姿勢に応じて、表示部を見やすい位置に変更することが可能なリモートコントロール装置を提供する。【解決手段】クリップ５を開閉自在に支持するクリップ支持部７がリモートコントロール本体２の外周面に沿って回動自在に取り付けられている。この構成により、リモートコントロール装置をクリップ５によって衣服などの被係止物Ｗに装着した姿勢に応じて、表示部３を見やすい位置に変更することができる。したがって、表示部３を見たり、操作部４を操作したりする度に、リモートコントロール装置全体を持って回さなくて済み、操作部４の操作や表示部３の視認動作を行い易くなる。【選択図】    図３
2004247975.tif 000002
【特許請求の範囲】
【請求項１】
リモートコントロール本体と、このリモートコントロール本体に配設され、機器本体に関する各種情報を表示する表示部と、前記リモートコントロール本体に配設された操作部と、衣服等の被係止物に係止するクリップと、このクリップを開閉自在に支持するクリップ支持部とを備えたリモートコントロール装置であって、前記クリップ支持部がリモートコントロール本体に対して回動自在に取り付けられていることを特徴とするリモートコントロール装置。
【請求項２】
クリップ支持部が、リモートコントロール本体の外周面に沿って回動自在に取り付けられていることを特徴とする請求項１に記載のリモートコントロール装置。
【請求項３】
リモートコントロール本体の外周面に沿って回動するクリップ支持体の回動範囲が、リモートコントロール本体における表示部または操作部が設けられている面の真横部分を起点に少なくとも９０度回動可能に構成されていることを特徴とする請求項２に記載のリモートコントロール装置。
【請求項４】
クリップ支持部が、リモートコントロール本体に対して複数段の回動位置で嵌り合って係合するように取り付けられていることを特徴とする請求項２または３に記載のリモートコントロール装置。
【請求項５】
クリップを開閉自在に受けるクリップ受部が、クリップ支持部に対して回転自在に取り付けられていることを特徴とする請求項２〜４の何れかに記載のリモートコントロール装置。
【請求項６】
クリップ支持部に、リモートコントロール本体に嵌合する取付軸が設けられ、この取付軸を中心として、リモートコントロール本体に対してクリップ支持部が回転自在に支持されていることを特徴とする請求項１に記載のリモートコントロール装置。
【発明の詳細な説明】
【０００１】
【発明の属する技術分野】
本発明は、携帯用の小型電子機器などを操作するリモートコントロール装置に関するものである。
【０００２】
【従来の技術】
従来、携帯用の小型電子機器を操作するためのリモートコントロール装置（以下、リモコンと称す）は、携帯用音響機器などの電子機器の本体である機器本体と、リモートコントロール装置の本体であるリモートコントロール本体（以下、リモコン本体と称す）をコードで繋いだワイヤードリモコンが一般的で、リモコン本体を衣服等に固定するためにクリップを取り付けたものが知られている。
【０００３】
図７（ａ）および（ｂ）は、クリップを有する従来のリモコンの外観を示す斜視図および側面図である。図７に示すように、リモコンは、機器本体に接続自在の接続コード２１に接続されたリモコン本体２２と、リモコン本体２２の一つの外面に配設されて、機器本体の動作状態などの各種情報を表示する液晶画面などからなる表示部２３と、複数の押釦などからなる操作釦２４と、衣服等の被係止物に係止するクリップ２５とを備えている。そして、クリップ２５により衣服等の被係止物にリモコンを装着した状態で、表示部２３を見ながら操作釦２４を操作して、再生、停止、選曲など、各種の操作を行うことができるように構成されている。
【０００４】
一般に、クリップ２５は、リモコン本体２２における表示部２３や操作釦２４が設けられている面とは反対側の背面側に配設されており、リモコン本体２２の背面に立設された支持リブ２６に挿入された支持軸２７を中心として開閉できるように揺動可能に支持されている。また、２８は、クリップ２５を閉方向に付勢する付勢ばねである。
【０００５】
このようなリモコンにおいては、クリップ２５を使ってリモコンを衣服等に装着すると、表示部２３や操作釦２４が衣服などの装着箇所から反対側に向いてしまい、表示部２３が見難いとともに操作釦２４の操作を見えない状態で行うこととなって不確実となるため、リモコン全体を持って、表示部２３や操作釦２４が上に向くように回す動作が必要となる。すなわち、表示部２３を見ようとしたり、操作釦２４を操作しようとしたりする度に、リモコン全体を持って回さなければならず、手間がかかって操作性が悪い。
【０００６】
これに対処するものとしては、特許文献１に開示されたリモコンがある。このリモコンは、図８（ａ）〜（ｃ）に示すように、クリップ３１を使ってリモコン本体３２を衣服に装着した場合に、表示部３３が上方に向くように、リモコン本体３２における操作部３４が設けられている面から、斜めに屈曲するように、表示部３３の取り付け面を屈曲させて配置している。なお、３５はリモコンを衣服等に装着するためのクリップである。
【０００７】
このリモコンによれば、図８（ａ）に示すような向きにリモコン本体３２を衣服に装着した場合に、表示部３３が上方に向くので、表示部３３を見やすくなり、表示部３３を見る際に、リモコン全体を持って回さなくて済む。
【０００８】
【特許文献１】
特開平１０−３１３４９２号公報
【０００９】
【発明が解決しようとする課題】
しかしながら、上記特許文献１に示されたリモコンでも、リモコンをクリップによって衣服などに装着した姿勢によって（例えば、リモコンを横方向から衣服などに装着した場合）は、リモコンの装着姿勢が異なるため、表示部３３が上方などの見やすい位置にならず、表示部３３を見ようとする度に、リモコンを持って回す動作を行わざるを得ないという課題があった。
【００１０】
本発明は上記課題を解決するもので、リモートコントロール装置をクリップによって衣服などに装着した姿勢に応じて、表示部を見やすい位置に変更することが可能なリモートコントロール装置を提供することを目的とするものである。
【００１１】
【課題を解決するための手段】
上記課題を解決するために本発明のリモートコントロール装置は、リモートコントロール本体と、このリモートコントロール本体に配設され、機器本体に関する各種情報を表示する表示部と、前記リモートコントロール本体に配設された操作部と、衣服等の被係止物に係止するクリップと、このクリップを開閉自在に支持するクリップ支持部とを備えたリモートコントロール装置であって、前記クリップ支持部がリモートコントロール本体に対して回動自在に取り付けられていることを特徴とする。
【００１２】
この構成により、リモートコントロール装置をクリップによって衣服などに装着した姿勢に応じて、表示部を見やすい位置に変更することができる。したがって、表示部を見たり、操作部を操作したりする度に、リモコン全体を持って回さなくて済み、操作部の操作や表示部の視認動作を行い易くなる。
【００１３】
【発明の実施の形態】
請求項１記載の発明は、リモートコントロール本体と、このリモートコントロール本体に配設され、機器本体に関する各種情報を表示する表示部と、前記リモートコントロール本体に配設された操作部と、衣服等の被係止物に係止するクリップと、このクリップを開閉自在に支持するクリップ支持部とを備えたリモートコントロール装置であって、前記クリップ支持部がリモートコントロール本体に対して回動自在に取り付けられていることを特徴とする。
【００１４】
この構成により、リモートコントロール装置をクリップによって衣服などに装着した際に、装着姿勢に応じて、リモートコントロール本体に配設されている表示部が見やすい位置に向くように、リモートコントロール本体をクリップに対して回動させることができる。これにより、表示部を見たり、操作部を操作したりする度に、リモコン全体を持って回さなくて済み、操作部の操作や、表示部の視認動作を行い易くなる。
【００１５】
請求項２記載の発明は、請求項１記載のリモートコントロール装置において、クリップ支持部が、リモートコントロール本体の外周面に沿って回動自在に取り付けられていることを特徴とする。
【００１６】
請求項３記載の発明は、請求項２に記載のリモートコントロール装置において、リモートコントロール本体の外周面に沿って回動するクリップ支持体の回動範囲が、リモートコントロール本体における表示部または操作部が設けられている面の真横部分を起点に少なくとも９０度回動可能に構成されていることを特徴とする。
【００１７】
この構成により、クリップで取り付けた箇所に対して、リモートコントロール本体における表示部や操作部が設けられている箇所を大きい角度で回動させることが可能となり、一層見易い位置に表示部を配置したり、一層操作し易い位置に操作部を配置したりすることができる。
【００１８】
請求項４記載の発明は、請求項２または３に記載のリモートコントロール装置において、クリップ支持部が、リモートコントロール本体に対して複数段の回動位置で嵌り合って係合するように取り付けられていることを特徴とする。
【００１９】
この構成により、衣服等にリモートコントロール装置を装着した際に、このリモートコントロール装置が操作し易い角度、または表示を見易い角度にクリップの位置を調節して保持することを容易に行える。
【００２０】
請求項５記載の発明は、請求項２〜４の何れかに記載のリモートコントロール装置において、クリップを開閉自在に受けるクリップ受部が、クリップ支持部に対して回転自在に取り付けられていることを特徴とする。
【００２１】
この構成により、クリップが、リモートコントロール本体の外周面に沿って回動自在に支持されるだけでなく、リモートコントロール本体に対して回転自在でもあるので、クリップにより衣服等にリモートコントロール装置を装着した際での、リモートコントロール本体の姿勢をさらに自由に変更することができ、操作部の操作や表示部の視認動作が一層行い易くなる。
【００２２】
請求項６記載の発明は、請求項１に記載のリモートコントロール装置において、クリップ支持部に、リモートコントロール本体に嵌合する取付軸が設けられ、この取付軸を中心として、リモートコントロール本体に対してクリップ支持部が回転自在に支持されていることを特徴とする。
【００２３】
この構成により、クリップが取付軸を中心として回転自在に支持されるので、クリップにより衣服等にリモートコントロール装置を装着した際での、リモートコントロール本体の姿勢を回転させて自由に変更することができ、操作部の操作や表示部の視認動作が行い易くなる。
【００２４】
以下、本発明の実施の形態について、図１から図５を用いて説明する。
（実施の形態１）
図１（ａ）および（ｂ）は本発明の第１の実施の形態に係るリモートコントロール装置の斜視図および側面図を示し、また図２は、図１のＡ−Ａ線で切断した矢視断面図を示す。
【００２５】
図１、図２に示すように、リモートコントロール装置（以下、リモコンと称す）は、機器本体に接続自在の接続コード１に接続されたリモートコントロール本体（以下、リモコン本体と称す）２と、リモコン本体２の一つの外面（この面を主面２ａと称す）に配設されて、機器本体の動作状態などの各種情報を表示する液晶画面などからなる表示部３と、リモコン本体２における前記主面２ａや、この主面２ａに続く傾斜側面２ｂに配設されて、複数の押釦などからなる操作釦４と、衣服等の被係止物に係止するクリップ５などを備えている。そして、クリップ５により衣服等の被係止物Ｗにリモコンを装着した状態で、表示部３を見ながら操作釦４を操作して、再生、停止、選曲など、各種の操作を行うことができるように構成されている。
【００２６】
しかしながら、このリモコンは、従来のリモコンとは異なり、クリップ５を開閉自在に受けるクリップ受部６と、このクリップ受部６と一体形成されているクリップ支持部７とが、リモコン本体２に固定されておらず、リモコン本体２の外周面に沿って回動自在に取り付けられている。すなわち、図１（ｂ）および図２に示すように、リモコン本体２における長手方向中央寄り箇所の、リモコン本体２の背面２ｃからこの背面２ｃに続く側面２ｄにかけて、円弧形状の一対のガイド受け８がリモコン本体２に一体形成され、ガイド受け８に形成された溝部８ａに、クリップ支持部７に形成された突条部（図示せず）が嵌り込んだ状態で、両側からガイド受け８に挟まれて円弧形状のクリップ支持部７がリモコン本体２の外周面に沿って回動自在に支持されている。
【００２７】
また、クリップ支持部７の先端部には、リモコン本体２側に突出する突起部７ａが形成され、リモコン本体２におけるガイド受け８間の円弧面２ｅには、前記突起部７が嵌合可能な凹部２ｆが角度αの間隔で数箇所（図２においては３０度間隔で４箇所）形成されている。これにより、クリップ支持部７、ガイド受け８およびクリップ５は、リモコン本体２における表示部３が設けられている主面２ａの真横部分を起点に９０度回動可能に構成されている。また、クリップ支持部７が、リモコン本体２に対して４段の回動位置で嵌り合って係合するように取り付けられている。
【００２８】
なお、クリップ５とクリップ受部６とは、それぞれに係止された支持リブ５ａ，６ａ同士が支持軸９を介して連結され、クリップ５がこの支持軸９を中心として開閉できるように揺動可能に支持されている。また、１０は、クリップ５を閉方向に付勢する付勢ばねである。
【００２９】
以上のように構成されたリモコンについて、以下その動作について説明する。まず当初、クリップ５が、図１、図２に示す位置にあったとすると、クリップ支持部７に形成された突起部７ａがリモコン本体２の１箇所の凹部２ｆと係合しているため、クリップ５はこの位置に保持されている。
【００３０】
次に、この状態から、図２の矢印方向Ａにクリップ５を回動させると、クリップ５に連動してクリップ支持部７も回動して突起部７ａが凹部２ｆから外れる。なお、外れるときには、突起部７ａが円弧面２ｅに強く当接するため、回動させる際の力を強めにしなければならず、いわゆる節度感が発生する。
【００３１】
さらに、クリップ５を図１、図２に示す位置から前記角度αだけ回動させると、図３（ａ）に示すように、再び別の凹部２ｆに突起部７ａが係合して回動が止まる。なお、この凹部２ｆに突起部７ａが嵌り込んだときにもいわゆる節度感が発生する。
【００３２】
これらの回転動作を１段階分または複数段階分行うことで、例えば、図３（ａ）に示す姿勢や、図３（ｂ）、図４（ａ）および（ｂ）に示す姿勢となるように、クリップ５に対するリモコン本体２の姿勢を変更することができ、この結果、リモコン１の表示部３や操作釦４の位置を見え易い位置や使い易い位置に設定することができる。
【００３３】
以上のように本実施形態によれば、リモコンを被係止物Ｗに付けた場合の表示部３、操作釦４の角度を、見え易く使い易い位置に設定できることとなる。したがって、表示部３を見たり、操作部４を操作したりする度に、従来のように、リモートコントロール装置全体を持って回すという必要がなくなり、操作部４の操作や表示部３の視認動作が行い易くなる。
【００３４】
なお、上記の実施の形態においては、リモコン本体２とクリップ５（クリップ支持部７）との相対位置が変更できる角度が３０度ずつ４段階で、最大９０度回動可能に構成されている場合を述べたが、これに限るものではなく、例えば、４５度ずつ３段階や４段階で回動するように構成したり、２０度ずつ多段階で回動可能に構成したりしてもよい。ただし、最大変更角度は９０度以上であることが望ましく、このように、大きな変更可能角度であるほうが、その分だけ、クリップ５の取付箇所に対するリモコン本体２の姿勢変更角度の自由度が大きくできて、表示部３、操作釦４の角度を、一層見え易く使い易い位置に設定できることとなる。
【００３５】
（実施の形態２）
次に、図５は本発明の第２の実施の形態に係るリモコン（リモートコントロール装置）の断面図を示す。図５に示すように、このリモコンにおいては、クリップ５を開閉自在に受けるクリップ受部６が、クリップ支持部７に対して回転自在に取り付けられている。すなわち、クリップ支持部７の一端部に形成された丸孔部７ｂに、クリップ受部６における支持リブ６ａの近傍箇所に設けられた回転軸として機能する筒状部６ｂが挿入され、さらに、この筒状部６ｂ内にはクリップ支持部７側から止めねじ１１が螺じ込まれている。そして、止めねじ１１のクリップ支持部７から露出した露出部１１ａを回転させて止めねじ１１を緩めることで、クリップ受部６およびクリップ５が筒状部６ｂを中心に矢印方向Ｂに回転できるようになっている。
【００３６】
この構成によれば、クリップ支持部７がリモコン本体２の外周面に沿って回動自在に支持されるだけでなく、クリップ受部６が筒状部６ｂを中心に回転自在に支持されてもいるので、クリップ５により衣服等の被係止物Ｗにリモコンを装着した際での、リモコン本体２の姿勢をさらに自由に変更することができ、操作釦４あるいは表示部３の位置を一層使い易くて、見え易い位置に設定することができる。
【００３７】
（実施の形態３）
次に、図６（ａ）および（ｂ）はそれぞれ本発明の第３の実施の形態に係るリモコン（リモートコントロール装置）の断面図を示す。図６に示すように、このリモコンにおいては、クリップ支持部７に、リモコン本体２に形成した取付孔２ｇに嵌合する取付軸７ｃが設けられ、この取付軸７ｃを中心として、リモコン本体２に対してクリップ支持部７が矢印方向Ｃに回転自在に支持されている。なお、図６における２ｈは、クリップ支持部７とともにクリップ５が回動したときにリモコン本体２と干渉しないようにするための切欠きである。
【００３８】
この構成によれば、クリップ支持部７が取付軸７ｃを中心としてリモコン本体２に対して回転自在に支持されているので、図６（ａ）および（ｂ）に示すように、クリップ支持部７とともにクリップ受部６やクリップ５も取付軸７ｃを中心としてリモコン本体２に対して矢印方向Ｃに回転自在に配置でき、図６の（ａ）と（ｂ）との中間位置などでも自由に位置を変更することもでき、その結果、図６（ａ）〜（ｂ）に示す間の位置で自由に操作釦４あるいは表示部３の位置を使い易い、見え易い位置に設定することができる。
【００３９】
【発明の効果】
以上のように本発明によれば、クリップ支持部をリモートコントロール本体に対して回動自在に取り付けたことにより、リモートコントロール装置を衣服等の被係止物に付けた場合に、表示部や操作部の位置を使い易い、見え易い位置に設定することができるという有利な効果が得られる。
【図面の簡単な説明】
【図１】（ａ）および（ｂ）は本発明の第１の実施の形態に係るリモートコントロール装置の斜視図および側面図
【図２】図１のＡ−Ａ線で切断した矢視断面図
【図３】（ａ）および（ｂ）はそれぞれ同リモートコントロール装置の断面図で、クリップをリモートコントロール本体の周囲で回動させた状態を示す図
【図４】同リモートコントロール装置の斜視図で、クリップをリモートコントロール本体の周囲で回動させた状態を示す図
【図５】本発明の第２の実施の形態に係るリモートコントロール装置の断面図で、クリップが回転することを示す図
【図６】（ａ）および（ｂ）はそれぞれ本発明の第３の実施の形態に係るリモートコントロール装置の断面図で、クリップが取付軸で回動することを示す図
【図７】（ａ）および（ｂ）はそれぞれ従来のリモートコントロール装置の斜視図および側面図
【図８】（ａ）〜（ｃ）はその他の従来のリモートコントロール装置の斜視図、背面斜視図および側面図
【符号の説明】
２        リモートコントロール本体（リモコン本体）
２ａ      主面
２ｂ      傾斜側面
２ｃ      背面
２ｄ      側面
２ｅ      円弧面
２ｆ      凹部
２ｇ      取付孔
２ｈ      切欠き
３        表示部
４        操作釦（操作部）
５        クリップ
６        クリップ受部
６ｂ      筒状部
７        クリップ支持部
７ａ      突起部
７ｂ      丸孔部
７ｃ      取付軸
８        ガイド受け
９        支持軸
１０      付勢ばね
１１      止めねじ
Ｗ        被係止物
【図１】
2004247975.tif 000003
【図２】
2004247975.tif 000004
【図３】
2004247975.tif 000005
【図４】
2004247975.tif 000006
【図５】
2004247975.tif 000007
【図６】
2004247975.tif 000008
【図７】
2004247975.tif 000009
【図８】
2004247975.tif 000010